(57)【特許請求の範囲】
【請求項１】
一方をＴＶカメラ付インターホン子機（１）の伝送線路（Ｌ1a、Ｌ1b）に、他方をＴＶモニタ付インターホン親機（２）の伝送線路（Ｌ2a、Ｌ2b）に接続され、かつ外部機器（４）には専用の通信線路（Ｌ3a、Ｌ3b）で接続され前記外部機器のリモートコントロール操作機能およびモニタ機能を有するリモートコントロール装置（３）を設けたリモートコントロールシステムであって、
前記ＴＶモニタ付インターホン親機は、前記ＴＶカメラ付インターホン子機からの呼出しに応じて前記ＴＶカメラ付インターホン子機にて撮像された映像を出画するＴＶモニタユニット（２１）および前記ＴＶカメラ付インターホン子機と通話するためのハンドセット（２２）を備え、
前記リモートコントロール装置は、前記ＴＶカメラ付インターホン子機の前記伝送線路および前記ＴＶモニタ付インターホン親機の前記伝送線路に接続される伝送インターフェースユニット（３５）と、前記リモートコントロール操作に必要な画面情報を前記ＴＶモニタユニットにて出画するための画面表示信号（Ｓ41）を前記伝送インターフェースユニットに出力する画像出力ユニット（３３）と、前記外部機器をリモートコントロール操作するリモートコントロール操作ボタン（３０）と、前記外部機器に前記通信線路を介して接続される通信インターフェースユニット（３６）に制御信号（Ｓ12）を送信し、前記通信インターフェースユニットから前記外部機器のモニタ信号（Ｓ21）を受信し、前記操作ボタンの入力信号（Ｓ11）に応じて前記画像出力ユニットにＴＶモニタ表示データ信号（Ｓ31）を出力するとともに前記伝送インターフェースユニットに前記ＴＶモニタ付インターホン親機のＴＶモニタ起動信号（Ｓ33）を出力するＣＰＵ（３２）と、前記ＣＰＵから出力される前記ガイド音声データ信号を受信し、前記外部機器のリモートコントロール操作に必要な前記ガイド音声信号を出力するガイド音声出力ユニット（３４）とを備えることにより前記リモートコントロール装置に内蔵されたモニタ用スピーカ（３１）からリモートコントロール操作に必要なガイド音声を出力可能としたことを特徴とするリモートコントロールシステム。
【請求項２】
前記リモートコントロール装置は、前記ＣＰＵから出力されるガイド音声データ信号（Ｓ32）を受信し、前記外部機器のリモートコントロール操作に必要なガイド音声信号（Ｓ42）を前記伝送インターフェースユニットに出力するガイド音声出力ユニット（３４）を備えることにより前記ＴＶモニタ付インターホン親機のモニタ用スピーカ（２０）からリモートコントロール操作に必要なガイド音声を出力可能としたことを特徴とする請求項１記載のリモートコントロールシステム。
【発明の詳細な説明】
【０００１】
【発明の属する技術分野】
本発明は外部機器の制御を行なうリモートコントロールシステムに係り、リモートコントロール操作に必要な画面情報を、既存のＴＶモニタ付インターホン親機のＴＶモニタユニットにて出力可能としたリモートコントロールシステムに関する。
【０００２】
【従来の技術】
従来から、外部機器の制御を行なうリモートコントロールシステムとして、図３の構成図に示すリモートコントロールシステムが提案されている。
【０００３】
同図に示すリモートコントロールシステムは、例えば、屋外に設置された給湯機のような機器からなる外部機器１０１と、外部機器１０１のリモートコントロール操作機能およびモニタ機能を有するリモートコントロール装置１０２とを、伝送線路Ｌ101a、Ｌ101bを介して接続し構成されている。また、リモートコントロール装置１０２には、表示ユニット１１０、操作ボタン１１１、モニタ用スピーカ１１２が備えられている。
【０００４】
このように構成されたリモートコントロールシステムにおいて、リモートコントロール装置１０２の表示ユニット１１０には、外部機器１０１から給湯されるお湯の温度や当該外部機器の燃焼状態等が表示される。また、お湯の温度を調整する場合には、リモートコントロール装置１０２の操作ボタン１１１を適宜に押下することにより、伝送線路Ｌ101a、Ｌ101bを介して外部機器１０１が制御され、設定された当該温度は表示ユニット１１０にて表示される。さらに、お湯の温度を調整する方法等は、音声合成によるガイド音声でモニタ用スピーカ１１２にて適時鳴動される。
【０００５】
【発明が解決しようとする課題】
しかしながら、従来のリモートコントロールシステムにおいては、表示ユニット１１０やモニタ用スピーカ１１２を、リモートコントロール装置１０２の小型とされる筐体内に設置する必要がある。これにより、表示機能の高度化に起因してコスト負担が増大する難点があるとともに、ガイド音声（警報音を含む）を鳴動するに十分な音圧を確保できない難点があった。
【０００６】
本発明は、上述の難点を解消するためになされたもので、外部機器のリモートコントロール操作に必要な画面情報およびガイド音声を、リモートコントロール装置の制御によりＴＶモニタ付インターホン親機にて出力させ、画面情報およびガイド音声確認時の視認性、聴覚性の向上を図るとともに、リモートコントロール装置にて出力されるガイド音声の音圧を一定レベル以上に確保できるリモートコントロールシステムを提供することを目的とする。
【０００７】
【課題を解決するための手段】
このような目的を達成するため、本発明によるリモートコントロールシステムは、一方をＴＶカメラ付インターホン子機の伝送線路に、他方をＴＶモニタ付インターホン親機の伝送線路に接続され、かつ外部機器には専用の通信線路で接続され外部機器のリモートコントロール操作機能およびモニタ機能を有するリモートコントロール装置を設けたリモートコントロールシステムであって、ＴＶモニタ付インターホン親機は、ＴＶカメラ付インターホン子機からの呼出しに応じてＴＶカメラ付インターホン子機にて撮像された映像を出画するＴＶモニタユニットおよびＴＶカメラ付インターホン子機と通話するためのハンドセットを備え、リモートコントロール装置は、ＴＶカメラ付インターホン子機の伝送線路およびＴＶモニタ付インターホン親機の伝送線路に接続される伝送インターフェースユニットと、リモートコントロール操作に必要な画面情報をＴＶモニタユニットにて出画するための画面表示信号を伝送インターフェースユニットに出力する画像出力ユニットと、外部機器をリモートコントロール操作するリモートコントロール操作ボタンと、外部機器に通信線路を介して接続される通信インターフェースユニットに制御信号を送信し、通信インターフェースユニットから外部機器のモニタ信号を受信し、操作ボタンの入力信号に応じて画像出力ユニットにＴＶモニタ表示データ信号を出力するとともに伝送インターフェースユニットにＴＶモニタ付インターホン親機のＴＶモニタ起動信号を出力するＣＰＵと、ＣＰＵから出力されるガイド音声データ信号を受信し、外部機器のリモートコントロール操作に必要なガイド音声信号を出力するガイド音声出力ユニットを備えることによりリモートコントロール装置に内蔵されたモニタ用スピーカからリモートコントロール操作に必要なガイド音声を出力可能としたものである。
【０００８】
また、本発明によるリモートコントロールシステムをなすリモートコントロール装置は、ＣＰＵから出力されるガイド音声データ信号を受信し、外部機器のリモートコントロール操作に必要なガイド音声信号を伝送インターフェースユニットに出力するガイド音声出力ユニットを備えることによりＴＶモニタ付インターホン親機のモニタ用スピーカからリモートコントロール操作に必要なガイド音声を出力可能としたものである。
【０００９】
このようなリモートコントロールシステムにおいて、専用の通信線路を介して接続された外部機器をリモートコントロール操作するリモートコントロール装置には、別線からなる伝送線路を介してＴＶカメラ付インターホン子機、ＴＶモニタ付インターホン親機がそれぞれ接続されており、ＴＶカメラ付インターホン子機からＴＶモニタ付インターホン親機に呼出しがあると、リモートコントロール装置を介してＴＶモニタ付インターホン親機のモニタ用スピーカにて呼出音が鳴動されるとともに、ＴＶモニタ付インターホン親機のＴＶモニタユニットが能動となりＴＶカメラ付インターホン子機のＴＶカメラユニットにて撮像された映像が出画される。また、リモートコントロール装置のリモートコントロール操作ボタンを押下すると、外部機器が制御され、リモートコントロール装置を介してＴＶモニタ付インターホン親機のＴＶモニタユニットが能動となり、リモートコントロール操作に必要な画面情報が出画されるとともに、ＴＶモニタ付インターホン親機およびリモートコントロール装置の各モニタ用スピーカにて、リモートコントロール操作に必要なガイド音声がそれぞれ鳴動される。
【００１０】
【発明の実施の形態】
以下、本発明によるリモートコントロールシステムを適用した好ましい形態の一実施例について、図面を参照して説明する。
【００１１】
図１は、本発明の一実施例によるリモートコントロールシステムの構成図であり、住戸玄関に設置され、来訪者が住戸内の居住者を呼出して通話を成立させる呼出・通話機能、来訪者の映像を撮像する映像撮像機能を有するＴＶカメラ付インターホン子機１と、住戸内に設置され、住戸玄関の来訪者からの呼出報知機能、来訪者の映像および外部機器４のリモートコントロール操作に必要な画面情報（警報情報を含む）を出画する映像再生機能、外部機器４のリモートコントロール操作に必要なガイド音声（警報音を含む）を鳴動する音声報知機能、呼出された居住者が来訪者との通話を成立させる通話機能を有するＴＶモニタ付インターホン親機２と、一方を伝送線路Ｌ1a、Ｌ1bを介してＴＶカメラ付インターホン子機１に、他方を伝送線路Ｌ2a、Ｌ2bを介してＴＶモニタ付インターホン親機２に、かつ専用の通信線路Ｌ3a、Ｌ3bを介して外部機器４にそれぞれ接続され、外部機器４のリモートコントロール操作機能およびモニタ機能としてリモートコントロール操作に必要なガイド音声を鳴動する音声報知機能を有するリモートコントロール装置３と、例えば、屋外に設置された給湯機のような機器からなる外部機器４とで構成されている。
【００１２】
ＴＶカメラ付インターホン子機１には、住戸玄関の来訪者が住戸内の居住者を呼出すために押下する呼出操作ボタン１０と、来訪者の映像を撮像するＴＶカメラユニット１１と、来訪者が呼出した居住者との通話を成立させるために用いる子機マイク１２、子機スピーカ１３とが備えられている。
【００１３】
ＴＶモニタ付インターホン親機２には、住戸玄関の来訪者からの呼出しを報知するための呼出音、外部機器４のリモートコントロール操作に必要なガイド音声をそれぞれ鳴動するモニタ用スピーカ２０と、ＴＶカメラ付インターホン子機１のＴＶカメラユニット１１にて撮像された来訪者の映像、外部機器４のリモートコントロール操作に必要な画面情報をそれぞれ出画するＴＶモニタユニット２１と、呼出された居住者が来訪者との通話を成立させるために用いる親機マイク２２ａおよびレシーバ２２ｂからなるハンドセット２２とが備えられている。
【００１４】
リモートコントロール装置３には、外部機器４をリモートコントロール操作するために押下されるリモートコントロール操作ボタン３０と、外部機器４のリモートコントロール操作に必要なガイド音声を鳴動するモニタ用スピーカ３１とが備えられている。
【００１５】
図２は、図１の構成図に示すリモートコントロールシステムの具体的な構成を示すブロック図であり、ＴＶカメラ付インターホン子機１には、図１の構成図に示す呼出操作ボタン１０、ＴＶカメラユニット１１、子機マイク１２、子機スピーカ１３と、呼出操作ボタン１０の押下を呼出検出する呼出検出ユニット１４と、子機マイク１２、子機スピーカ１３にて送受信される音声信号を増幅するオーディオインターフェースユニット１５と、ＴＶカメラユニット１１、呼出検出ユニット１４、オーディオインターフェースユニット１５、伝送線路接続端子Ｔ1a、Ｔ1bにそれぞれ接続され、送受信される諸信号を適宜に多重・変調または分離・復調する伝送インターフェースユニット１６とが備えられている。また、伝送線路接続端子Ｔ1a、Ｔ1bには、伝送線路Ｌ1a、Ｌ1bが接続されている。
【００１６】
ＴＶモニタ付インターホン親機２には、図１の構成図に示すモニタ用スピーカ２０、ＴＶモニタユニット２１、ハンドセット２２と、モニタ用スピーカ２０にて呼出音、外部機器４のリモートコントロール操作に必要なガイド音声をそれぞれ鳴動させるとともに、ハンドセット２２をなす親機マイク２２ａおよびレシーバ２２ｂにて送受信される音声信号を増幅するオーディオインターフェースユニット２３と、ＴＶモニタユニット２１、オーディオインターフェースユニット２３、伝送線路接続端子Ｔ2a、Ｔ2bにそれぞれ接続され、送受信される諸信号を適宜に変調・多重または分離・復調する伝送インターフェースユニット２４とが備えられている。また、伝送線路接続端子Ｔ2a、Ｔ2bには、伝送線路Ｌ2a、Ｌ2bが接続されている。
【００１７】
リモートコントロール装置３には、図１の構成図に示すリモートコントロール操作ボタン３０、モニタ用スピーカ３１と、ＣＰＵ３２と、ＣＰＵ３２により制御され、外部機器４のリモートコントロール操作に必要な画面情報をＴＶモニタ付インターホン親機２のＴＶモニタユニット２１にて出画させるための画面表示信号を出力する画像出力ユニット３３と、ＣＰＵ３２により制御され、外部機器４のリモートコントロール操作に必要なガイド音声をモニタ用スピーカ３１およびＴＶモニタ付インターホン親機２のモニタ用スピーカ２０にて鳴動させるためのガイド音声信号を出力するガイド音声出力ユニット３４と、ＣＰＵ３２、画像出力ユニット３３、ガイド音声出力ユニット３４、伝送線路接続端子Ｔ3a、Ｔ3bおよびＴ3c、Ｔ3dにそれぞれ接続され、送受信される諸信号を適宜に変調・多重または分離・復調する伝送インターフェースユニット３５と、ＣＰＵ３２、通信線路接続端子Ｔ3e、Ｔ3fにそれぞれ接続され、送受信される諸信号を適宜に変調または復調する通信インターフェースユニット３６とが備えられている。また、伝送線路接続端子Ｔ3a、Ｔ3bおよびＴ3c、Ｔ3dには、伝送線路Ｌ1a、Ｌ1bおよびＬ2a、Ｌ2bが、通信線路接続端子Ｔ3e、Ｔ3fには、通信線路Ｌ3a、Ｌ3bがそれぞれ接続されている。
【００１８】
外部機器４には、メインユニット４０と、メインユニット４０、通信線路接続端子Ｔ4a、Ｔ4bにそれぞれ接続され、送受信される諸信号を適宜に変調または復調する通信インターフェースユニット４１とが備えられている。また、通信線路接続端子Ｔ4a、Ｔ4bには、通信線路Ｌ3a、Ｌ3bが接続されている。
【００１９】
このように構成された本発明の一実施例によるリモートコントロールシステムにおいて、以下、その動作について説明する。
【００２０】
住戸玄関の来訪者が住戸内の居住者を呼出すために、ＴＶカメラ付インターホン子機１の呼出操作ボタン１０を押下すると、この操作を検出した呼出検出ユニット１４から伝送インターフェースユニット１６に呼出信号Ｓ1と、ＴＶモニタ付インターホン親機２のＴＶモニタユニット２１を能動とするためのＴＶモニタ起動信号Ｓ2とがそれぞれ出力される。また、ＴＶカメラユニット１１は、来訪者の映像を撮像した映像信号Ｓ3を伝送インターフェースユニット１６に出力する。伝送インターフェースユニット１６は、入力された呼出信号Ｓ1、ＴＶモニタ起動信号Ｓ2、映像信号Ｓ3を信号処理し、変調・多重させた伝送信号Ｓ10を出力する。この伝送信号Ｓ10は、伝送線路接続端子Ｔ1a、Ｔ1b、伝送線路Ｌ1a、Ｌ1b、リモートコントロール装置３の伝送線路接続端子Ｔ3a、Ｔ3b、伝送インターフェースユニット３５、伝送線路接続端子Ｔ3c、Ｔ3d、伝送線路Ｌ2a、Ｌ2bを介してＴＶモニタ付インターホン親機２の伝送線路接続端子Ｔ2a、Ｔ2bにて受信される。
【００２１】
ＴＶモニタ付インターホン親機２の伝送インターフェースユニット２４は、伝送線路接続端子Ｔ2a、Ｔ2bにて受信された伝送信号Ｓ10を信号処理し、分離・復調させたＴＶモニタ起動信号Ｓ2および映像信号Ｓ3をＴＶモニタユニット２１に、呼出信号Ｓ1をオーディオインターフェースユニット２３にそれぞれ出力する。ＴＶモニタ起動信号Ｓ2の入力により能動とされたＴＶモニタユニット２１は、映像信号Ｓ3をなす来訪者の映像を出画する。また、呼出信号Ｓ1が入力されたオーディオインターフェースユニット２３は、モニタ用スピーカ２０にて呼出音を鳴動させる。
【００２２】
ＴＶモニタ付インターホン親機２のモニタ用スピーカ２０にて鳴動された呼出音、ＴＶモニタユニット２１にて出画された映像により、住戸玄関の来訪者からの呼出しを検出した住戸内の居住者が、ハンドセット２２を取り上げて呼出応答すると、当該ハンドセットをなす親機マイク２２ａおよびレシーバ２２ｂが接続されたオーディオインターフェースユニット２３と、伝送インターフェースユニット２４、伝送線路接続端子Ｔ2a、Ｔ2b、伝送線路Ｌ2a、Ｌ2b、リモートコントロール装置３の伝送線路接続端子Ｔ3c、Ｔ3d、伝送インターフェースユニット３５、伝送線路接続端子Ｔ3a、Ｔ3b、伝送線路Ｌ1a、Ｌ1b、ＴＶカメラ付インターホン子機１の伝送線路接続端子Ｔ1a、Ｔ1b、伝送インターフェースユニット１６を介して子機マイク１２および子機スピーカ１３が接続されたオーディオインターフェースユニット１５との間の信号伝送路、即ち、通話路が形成され、形成された通話路を介して音声信号を送受信させることにより双方向通話が成立する（詳述せず）。
【００２３】
次に、外部機器４をリモートコントロール操作するために、リモートコントロール装置３のリモートコントロール操作ボタン３０が押下されると、リモートコントロール操作ボタン３０からの入力信号Ｓ11を検出したＣＰＵ３２は、当該入力信号をなす操作情報を付加した制御信号Ｓ12を通信インターフェースユニット３６に出力する。通信インターフェースユニット３６は、入力された制御信号Ｓ12を信号処理し、変調させた制御データ信号Ｓ20を出力する。この制御データ信号Ｓ20は、通信線路接続端子Ｔ3e、Ｔ3f、通信線路Ｌ3a、Ｌ3bを介して外部機器４の通信線路接続端子Ｔ4a、Ｔ4bにて受信される。
【００２４】
外部機器４の通信インターフェースユニット４１は、通信線路接続端子Ｔ4a、Ｔ4bにて受信された制御データ信号Ｓ20を信号処理し、復調させた制御信号Ｓ12をメインユニット４０に出力する。メインユニット４０は、入力された制御信号Ｓ12に付加された操作情報を検出し、当該操作情報に対応して動作制御されるとともに、動作情報（操作情報）を付加したモニタ信号Ｓ21を通信インターフェースユニット４１に出力する。通信インターフェースユニット４１は、入力されたモニタ信号Ｓ21を信号処理し、変調させたモニタデータ信号Ｓ30を出力する。このモニタデータ信号Ｓ30は、通信線路接続端子Ｔ4a、Ｔ4b、通信線路Ｌ3a、Ｌ3bを介してリモートコントロール装置３の通信線路接続端子Ｔ3e、Ｔ3fにて受信される。
【００２５】
リモートコントロール装置３の通信インターフェースユニット３６は、通信線路接続端子Ｔ3e、Ｔ3fにて受信されたモニタデータ信号Ｓ30を信号処理し、復調させたモニタ信号Ｓ21をＣＰＵ３２に出力する。ＣＰＵ３２は、入力されたモニタ信号Ｓ21に付加された動作情報（操作情報）、即ち、リモートコントロール操作ボタン３０の操作に対応したＴＶモニタ表示データ信号Ｓ31、ガイド音声データ信号Ｓ32を、画像出力ユニット３３、ガイド音声出力ユニット３４にそれぞれ出力するとともに、ＴＶモニタ付インターホン親機２のＴＶモニタユニット２１を能動とするためのＴＶモニタ起動信号Ｓ33を伝送インターフェースユニット３５に出力する。
【００２６】
リモートコントロール装置３の画像出力ユニット３３は、入力されたＴＶモニタ表示データ信号Ｓ31に基づいて、ＴＶモニタ付インターホン親機２のＴＶモニタユニット２１にて外部機器４のリモートコントロール操作に必要な画面情報を出画させるための画面表示信号Ｓ41を生成し、伝送インターフェースユニット３５に出力する。また、ガイド音声出力ユニット３４は、入力されたガイド音声データ信号Ｓ32に基づいて、モニタ用スピーカ３１およびＴＶモニタ付インターホン親機２のモニタ用スピーカ２０にて外部機器４のリモートコントロール操作に必要なガイド音声を鳴動させるためのガイド音声信号Ｓ42を生成し、モニタ用スピーカ３１、伝送インターフェースユニット３５にそれぞれ出力する。これにより、モニタ用スピーカ３１にて外部機器４のリモートコントロール操作に必要なガイド音声が鳴動される。さらに、ＴＶモニタ起動信号Ｓ33が入力された伝送インターフェースユニット３５は、伝送線路接続端子Ｔ3a、Ｔ3bを介して伝送線路Ｌ1a、Ｌ1b上を伝送されてくる諸信号の受信を遮断するとともに、ＴＶモニタ起動信号Ｓ33、画像表示信号Ｓ41、ガイド音声信号Ｓ42を信号処理し、変調・多重させた伝送信号Ｓ50を出力する。この伝送信号Ｓ50は、伝送線路接続端子Ｔ3c、Ｔ3d、伝送線路Ｌ2a、Ｌ2bを介してＴＶモニタ付インターホン親機２の伝送線路接続端子Ｔ2a、Ｔ2bにて受信される。
【００２７】
ＴＶモニタ付インターホン親機２の伝送インターフェースユニット２４は、伝送線路接続端子Ｔ2a、Ｔ2bにて受信された伝送信号Ｓ50を信号処理し、分離・復調させたＴＶモニタ起動信号Ｓ33および画面表示信号Ｓ41をＴＶモニタユニット２１に、ガイド音声信号Ｓ42をオーディオインターフェースユニット２３にそれぞれ出力する。ＴＶモニタ起動信号Ｓ33の入力により能動とされたＴＶモニタユニット２１は、画面表示信号Ｓ41をなす外部機器４のリモートコントロール操作に必要な画面情報を出画する。また、ガイド音声信号Ｓ42が入力されたオーディオインターフェースユニット２３は、モニタ用スピーカ２０にて外部機器４のリモートコントロール操作に必要なガイド音声を鳴動させる。
【００２８】
【発明の効果】
以上の説明から明らかなように、本発明のリモートコントロールシステムによれば、外部機器のリモートコントロール操作に必要な画面情報およびガイド音声は、リモートコントロール装置の制御によりＴＶモニタ付インターホン親機にて出力されることから、画面情報およびガイド音声確認時の視認性、聴覚性の向上が図れる。また、リモートコントロール装置には、従来例のように画面情報を出力する表示ユニットが不要となり、モニタスピーカが占有する筐体面積の拡充が図れ、ガイド音声の音圧を一定レベル以上に確保できる。
【図面の簡単な説明】
【図１】  本発明の一実施例によるリモートコントロールシステムの構成図。
【図２】  本発明の一実施例によるリモートコントロールシステムの具体的な構成を示すブロック図。
【図３】  従来のリモートコントロールシステムの構成図。
【符号の説明】
１・・・・・ＴＶカメラ付インターホン子機
２・・・・・ＴＶモニタ付インターホン親機
３・・・・・リモートコントロール装置
４・・・・・外部機器
２０・・・・・（ＴＶモニタ付インターホン親機の）モニタ用スピーカ
２１・・・・・ＴＶモニタユニット
２２・・・・・ハンドセット
３０・・・・・リモートコントロール操作ボタン
３１・・・・・（リモートコントロール装置の）モニタ用スピーカ
３２・・・・・ＣＰＵ
３３・・・・・画像出力ユニット
３４・・・・・ガイド音声出力ユニット
３５・・・・・伝送インターフェースユニット
３６・・・・・通信インターフェースユニット
Ｌ1a、Ｌ1b、Ｌ2a、Ｌ2b・・・・・伝送線路
Ｌ3a、Ｌ3b・・・・・（専用の）通信線路
Ｓ11・・・・・入力信号
Ｓ12・・・・・制御信号
Ｓ21・・・・・モニタ信号
Ｓ31・・・・・ＴＶモニタ表示データ信号
Ｓ32・・・・・ガイド音声データ信号
Ｓ33・・・・・ＴＶモニタ起動信号
Ｓ41・・・・・画面表示信号
Ｓ42・・・・・ガイド音声信号
【図１】
0004382232.tif 000002
【図２】
0004382232.tif 000003
【図３】
0004382232.tif 000004